(57)【要約】【課題】より迅速な警告情報の取得を実現することが可能な、復調回路、処理回路、処理方法、および処理装置を提供する。【解決手段】放送信号を受信する受信回路により受信された放送信号を復調する復調部と、復調された放送信号に含まれる、警告情報の更新状態を示す第１の警告通知情報に基づいて、復調された放送信号に含まれる警告情報の取得が必要かを設定されている動作モードに従って判定する判定部と、警告情報の取得が必要であると判定された場合に、動作モードに対応する第２の警告通知情報を、警告情報を取得する機能を有する処理回路が電気的に接続される所定の端子から出力する出力処理部と、を備える、復調回路が、提供される。【選択図】図２
2019135806.tif 000002
【特許請求の範囲】
【請求項１】
放送信号を受信する受信回路により受信された前記放送信号を復調する復調部と、
復調された前記放送信号に含まれる、警告情報の更新状態を示す第１の警告通知情報に基づいて、復調された前記放送信号に含まれる警告情報の取得が必要かを設定されている動作モードに従って判定する判定部と、
警告情報の取得が必要であると判定された場合に、前記動作モードに対応する第２の警告通知情報を、前記警告情報を取得する機能を有する処理回路が電気的に接続される所定の端子から出力する出力処理部と、
を備える、復調回路。
【請求項２】
前記出力処理部は、前記動作モードに応じて、前記第１の警告通知情報を前記第２の警告通知情報として出力する、または、前記第１の警告通知情報よりもデータ量が小さな所定のデータを前記第２の警告通知情報として出力する、請求項１に記載の復調回路。
【請求項３】
前記動作モードとして、前記第１の警告通知情報を前記第２の警告通知情報として出力する第１の動作モードが、設定されている場合、
前記判定部は、前記第１の警告通知情報の値が更新され、かつ、前記第１の警告通知情報の更新前の値と更新後の値との組み合わせが所定の組み合わせである場合に、前記警告情報の取得が必要であると判定し、
前記出力処理部は、前記第１の警告通知情報を前記第２の警告通知情報として出力する、請求項１に記載の復調回路。
【請求項４】
前記第１の警告通知情報は、２ビットのデータであり、
前記判定部は、前記２ビットのデータの値が更新され、かつ、前記２ビットのデータの更新前の値と更新後の値との組み合わせが所定の組み合わせである場合に、前記警告情報の取得が必要であると判定し、
前記出力処理部は、前記２ビットのデータを前記第２の警告通知情報として出力する、請求項３に記載の復調回路。
【請求項５】
前記動作モードとして、前記第１の警告通知情報よりもデータ量が小さな前記第２の警告通知情報を出力する一の動作モードである第２の動作モードが、設定されている場合、
前記判定部は、前記第１の警告通知情報が所定の値を示す場合に、警告情報の取得が必要であると判定し、
前記出力処理部は、前記第１の警告通知情報よりもデータ量が小さな所定のデータを前記第２の警告通知情報として出力する、請求項１に記載の復調回路。
【請求項６】
前記第１の警告通知情報は、２ビットのデータであり、
前記判定部は、前記２ビットのデータの全ビットに対してＯＲ演算を行い、ＯＲ演算の結果が前記所定の値を示す場合に、前記警告情報の取得が必要であると判定し、
前記出力処理部は、所定の値を示す１ビットのデータを前記第２の警告通知情報として出力する、請求項５に記載の復調回路。
【請求項７】
前記動作モードとして、前記第１の警告通知情報よりもデータ量が小さな前記第２の警告通知情報を出力する他の動作モードである第３の動作モードが、設定されている場合、
前記判定部は、前記第１の警告通知情報の値の所定の変化が検出された場合に、警告情報の取得が必要であると判定し、
前記出力処理部は、前記第１の警告通知情報よりもデータ量が小さな所定のデータを前記第２の警告通知情報として出力する、請求項１に記載の復調回路。
【請求項８】
前記第１の警告通知情報は、２ビットのデータであり、
前記判定部は、前記２ビットのデータの値が更新されるごとに前記警告情報の取得が必要であると判定し、
前記出力処理部は、所定の値を示す１ビットのデータを前記第２の警告通知情報として出力する、請求項７に記載の復調回路。
【請求項９】
前記判定部は、前記２ビットのデータの更新前の値と更新後の値との組み合わせが所定の組み合わせである場合には、前記警告情報の取得が必要であると判定しない、請求項８に記載の復調回路。
【請求項１０】
前記第１の警告通知情報は、２ビットのデータであり、
前記判定部は、前記２ビットのデータの値が更新され、更新後の値が所定の値である場合に、前記警告情報の取得が必要であると判定し、
前記出力処理部は、所定の値を示す１ビットのデータを前記第２の警告通知情報として出力する、請求項７に記載の復調回路。
【請求項１１】
前記第１の警告通知情報は、２ビットのデータであり、
前記判定部は、前記２ビットのデータの更新前の値と更新後の値との組み合わせが所定の組み合わせである場合に、前記警告情報の取得が必要であると判定し、
前記出力処理部は、所定の値を示す１ビットのデータを前記第２の警告通知情報として出力する、請求項７に記載の復調回路。
【請求項１２】
前記受信回路の一部または全部を有する受信部をさらに備える、請求項１に記載の復調回路。
【請求項１３】
前記第１の警告通知情報は、ＡＴＳＣ（Advanced  Television  Systems  Committee）３．０規格に対応するデータである、請求項１に記載の復調回路。
【請求項１４】
放送信号を復調する復調回路から出力される警告通知情報が、前記復調回路が電気的に接続される所定の端子を介して取得された場合に、復調された前記放送信号に含まれる警告情報を取得する処理部を備える、処理回路。
【請求項１５】
前記処理部は、取得された前記警告情報が示す内容を通知させる、請求項１４に記載の処理回路。
【請求項１６】
放送信号を受信する受信回路により受信された前記放送信号を復調するステップと、
復調された前記放送信号に含まれる、警告情報の更新状態を示す第１の警告通知情報に基づいて、復調された前記放送信号に含まれる警告情報の取得が必要かを設定されている動作モードに従って判定するステップと、
警告情報の取得が必要であると判定された場合に、前記動作モードに対応する第２の警告通知情報を、前記警告情報を取得する機能を有する処理回路が電気的に接続される所定の端子から出力するステップと、
を有する、復調回路により実行される処理方法。
【請求項１７】
放送信号を復調する復調回路から出力される警告通知情報が、前記復調回路が電気的に接続される所定の端子を介して取得された場合に、復調された前記放送信号に含まれる警告情報を取得するステップを有する、処理回路により実行される処理方法。
【請求項１８】
復調回路と、
前記復調回路と電気的に接続される処理回路と、
を有し、
前記復調回路は、
放送信号を受信する受信回路により受信された前記放送信号を復調する復調部と、
復調された前記放送信号に含まれる、警告情報の更新状態を示す第１の警告通知情報に基づいて、復調された前記放送信号に含まれる警告情報の取得が必要かを設定されている動作モードに従って判定する判定部と、
警告情報の取得が必要であると判定された場合に、前記動作モードに対応する第２の警告通知情報を、前記処理回路が電気的に接続される所定の端子から出力する出力処理部と、
を備え、
前記処理回路は、
前記第２の警告通知情報が、前記復調回路が電気的に接続される所定の端子を介して取得された場合に、復調された前記放送信号に含まれる警告情報を取得する処理部を備える、処理装置。
【発明の詳細な説明】
【技術分野】
【０００１】
本開示は、復調回路、処理回路、処理方法、および処理装置に関する。
【背景技術】
【０００２】
放送信号を利用して警告情報を送信する技術が開発されている。上記技術としては、例えば下記の非特許文献１、非特許文献２に記載の規格化された技術が挙げられる。
【先行技術文献】
【非特許文献】
【０００３】
【非特許文献１】“ATSC  Standard:  A/321,  System  Discovery  and  Signaling”，  Advanced  Television  Systems  Committee,  23  March  2016，インターネット（https://www.atsc.org/wp-content/uploads/2016/03/A321-2016-System-Discovery-and-Signaling.pdf）
【非特許文献２】“ATSC  Proposed  Standard:  Signaling,  Delivery,  Synchronization,  and  Error  Protection  (A/331)”，  Advanced  Television  Systems  Committee,  23  March  2016，インターネット（https://www.atsc.org/wp-content/uploads/2016/01/A331S33-331r1-Signaling-Deivery-Sync-FEC.pdf）
【発明の概要】
【発明が解決しようとする課題】
【０００４】
放送信号を利用して警告情報が送信される場合、受信される放送信号を処理する装置（またはシステム）では、できる限り早く警告情報を取得して警告を出すことが求められている。
【０００５】
本開示では、より迅速な警告情報の取得を実現することが可能な、新規かつ改良された復調回路、処理回路、処理方法、および処理装置を提案する。
【課題を解決するための手段】
【０００６】
本開示によれば、放送信号を受信する受信回路により受信された上記放送信号を復調する復調部と、復調された上記放送信号に含まれる、警告情報の更新状態を示す第１の警告通知情報に基づいて、復調された上記放送信号に含まれる警告情報の取得が必要かを設定されている動作モードに従って判定する判定部と、警告情報の取得が必要であると判定された場合に、上記動作モードに対応する第２の警告通知情報を、上記警告情報を取得する機能を有する処理回路が電気的に接続される所定の端子から、出力する出力処理部と、を備える、復調回路が、提供される。
【０００７】
また、本開示によれば、放送信号を復調する復調回路から出力される警告通知情報が、上記復調回路が電気的に接続される所定の端子を介して取得された場合に、復調された上記放送信号に含まれる警告情報を取得する処理部を備える、処理回路が、提供される。
【０００８】
また、本開示によれば、放送信号を受信する受信回路により受信された上記放送信号を復調するステップと、復調された上記放送信号に含まれる、警告情報の更新状態を示す第１の警告通知情報に基づいて、復調された上記放送信号に含まれる警告情報の取得が必要かを設定されている動作モードに従って判定するステップと、警告情報の取得が必要であると判定された場合に、上記動作モードに対応する第２の警告通知情報を、上記警告情報を取得する機能を有する処理回路が電気的に接続される所定の端子から、出力するステップと、を有する、復調回路により実行される処理方法が、提供される。
【０００９】
また、本開示によれば、放送信号を復調する復調回路から出力される警告通知情報が、上記復調回路が電気的に接続される所定の端子を介して取得された場合に、復調された上記放送信号に含まれる警告情報を取得するステップを有する、処理回路により実行される処理方法が、提供される。
【００１０】
また、本開示によれば、復調回路と、上記復調回路と電気的に接続される処理回路と、を有し、上記復調回路は、放送信号を受信する受信回路により受信された上記放送信号を復調する復調部と、復調された上記放送信号に含まれる、警告情報の更新状態を示す第１の警告通知情報に基づいて、復調された上記放送信号に含まれる警告情報の取得が必要かを設定されている動作モードに従って判定する判定部と、警告情報の取得が必要であると判定された場合に、上記動作モードに対応する第２の警告通知情報を、上記処理回路が電気的に接続される所定の端子から、出力する出力処理部と、を備え、上記処理回路は、上記第２の警告通知情報が、上記復調回路が電気的に接続される所定の端子を介して取得された場合に、復調された上記放送信号に含まれる警告情報を取得する処理部を備える、処理装置が、提供される。
【発明の効果】
【００１１】
本開示によれば、より迅速な警告情報の取得を実現することができる。
【００１２】
なお、上記の効果は必ずしも限定的なものではなく、上記の効果とともに、または上記の効果に代えて、本明細書に示されたいずれかの効果、または本明細書から把握されうる他の効果が奏されてもよい。
【図面の簡単な説明】
【００１３】
【図１】本実施形態に係る処理装置の構成の一例を示す説明図である。
【図２】本実施形態に係る処理装置が備える復調回路の構成の一例を示す機能ブロック図である。
【図３】本実施形態に係る処理装置が備える復調回路における処理方法に係る処理の一例を示す流れ図である。
【図４】本実施形態に係る処理装置が備える処理回路の構成の一例を示す機能ブロック図である。
【発明を実施するための形態】
【００１４】
以下に添付図面を参照しながら、本開示の好適な実施の形態について詳細に説明する。なお、本明細書及び図面において、実質的に同一の機能構成を有する構成要素については、同一の符号を付することにより重複説明を省略する。
【００１５】
また、以下では、下記に示す順序で説明を行う。
１．本実施形態に係る処理装置、および本実施形態に係る処理方法
［１］本実施形態に係る処理装置の構成
［２］本実施形態に係る処理装置において奏される効果の一例
［３］本実施形態に係る処理装置の適用例
２．本実施形態に係るプログラム
【００１６】
（本実施形態に係る処理装置、および本実施形態に係る処理方法）
本実施形態に係る処理装置は、受信される放送信号を処理することが可能な装置である。
【００１７】
例えば、非特許文献１、非特許文献２に記載のＡＴＳＣ（Advanced  Television  Systems  Committee）３．０規格が用いられる場合、放送信号を利用して警告情報を伝達することが可能である。本実施形態に係る警告情報としては、例えば、ＡＴＳＣ３．０規格で規定されているＡＥＡＴ（Advanced  Emergency  Alert  Table）などの、警告内容が記録されているテーブル（またはデータベース）が、挙げられる。なお、本実施形態に係る警告情報は、上記に示す例に限られず、警告内容を記録することが可能な任意の形式のデータであってもよい。
【００１８】
また、ＡＴＳＣ３．０規格では、ＥＡＳ（Emergency  Alert  System）と呼ばれる、放送信号を利用して警告情報の更新状況を伝達する仕組みが規定されている。具体的には、ＡＴＳＣ３．０規格では、｛ea_wake_up_2，ea_wake_up_1｝という２ビットのデータによって、警告情報の更新状況が伝達される。ＡＴＳＣ３．０規格における上記２ビットのデータは、警告情報の更新状態を示すデータに該当する。以下では、ＡＴＳＣ３．０規格における上記２ビットのデータのような、放送信号を利用して伝達される警告情報の更新状態を示すデータを、「第１の警告通知情報」と示す。
【００１９】
以下、本実施形態に係る処理装置が、ＡＴＳＣ３．０規格に対応する放送信号を処理する場合を主に例に挙げて、本実施形態に係る処理装置の構成、および本実施形態に係る処理方法について説明する。なお、以下に示す本実施形態に係る処理方法は、ＡＴＳＣ３．０規格に適用されることに限られず、放送信号を利用して警告情報および第１の警告通知情報が伝達される任意の規格に、適用することが可能である。また、以下に示す本実施形態に係る処理方法は、規格化の有無によらず、警告情報および第１の警告通知情報を伝達しうる任意の放送信号の処理に、適用することが可能である。
【００２０】
［１］本実施形態に係る処理装置の構成
図１は、本実施形態に係る処理装置１０００の構成の一例を示す説明図である。処理装置１０００は、例えば、受信回路１００と、復調回路２００と、処理回路３００とを備える。“受信回路１００および復調回路２００”と、“復調回路２００および処理回路３００”とは、それぞれ１本または複数本の配線で電気的に接続され、各種信号（アナログ信号またはデジタル信号）が回路間で伝送される。
【００２１】
受信回路１００は、放送信号を受信する。
【００２２】
復調回路２００は、受信回路１００により受信された放送信号を復調する。
【００２３】
また、復調回路２００は、復調された放送信号に含まれる第１の警告通知情報に基づいて警告情報の取得が必要であるかを判定する。そして、復調回路２００は、警告情報の取得が必要である場合に、処理回路３００が電気的に接続される所定の端子から、第２の警告通知情報（後述する）を出力する。本実施形態に係る第２の警告通知情報（後述する）は、警告情報の取得が必要であることを通知するためのデータに該当する。ここで、上記処理回路３００が電気的に接続される所定の端子とは、“処理回路３００と電気的に接続される、復調回路２００が有する信号の出力が可能な端子（「ピン」と呼ばれる場合もある。）であって、第２の警告通知情報（後述する）が出力される端子”である。上記処理回路３００が電気的に接続される所定の端子としては、復調回路２００が有するＧＰＩＯ（General-Purpose  Input/Output）が、挙げられる。
【００２４】
処理回路３００は、復調された放送信号を処理する。復調された放送信号に対する処理の一例としては、例えば、表示デバイスの表示画面に画像を表示させる表示制御処理や、音声出力デバイスから音声を出力させる音声出力処理など、復調された放送信号に対して行うことが可能な任意の処理が、挙げられる。
【００２５】
また、処理回路３００は、第２の警告通知情報が、復調回路２００が電気的に接続される所定の端子を介して取得された場合に、復調された放送信号に含まれる警告情報を取得する。ここで、上記復調回路２００が電気的に接続される所定の端子とは、“復調回路２００と電気的に接続される、処理回路３００が有する信号の入力が可能な端子（「ピン」と呼ばれる場合もある。）であって、第２の警告通知情報（後述する）が入力される端子”である。上記復調回路２００が電気的に接続される所定の端子としては、処理回路３００が有するＧＰＩＯが挙げられる。
【００２６】
処理装置１０００は、例えば図１に示す構成を有することにより、受信された放送信号を復調し、復調された放送信号を処理する。
【００２７】
また、処理装置１０００は、例えば図１に示す構成を有することにより、放送信号を利用して伝達される警告情報を取得する。ここで、処理装置１０００では、復調回路２００は、所定の端子から第２の警告通知情報（後述する）を出力し、処理回路３００は、所定の端子から入力される第２の警告通知情報（後述する）に応じて警告情報を取得する。よって、復調回路２００と処理回路３００との間では、警告情報の取得が必要であることがより迅速に伝達され、処理回路３００は、より迅速に警告情報を取得することができる。
【００２８】
したがって、復調回路２００および処理回路３００を備える処理装置１０００では、より迅速な警告情報の取得が実現される。
【００２９】
なお、本実施形態に係る処理装置の構成は、図１に示す例に限られない。
【００３０】
例えば、受信回路１００と同様の機能、構成を有する外部の受信回路と電気的に接続される場合、本実施形態に係る処理装置は、図１に示す受信回路１００を備えていなくてもよい。
【００３１】
また、例えば、図１に示す復調回路２００は、受信回路１００の構成の一部または全部を備えていてもよい。受信回路１００の構成の一部を備える復調回路２００の構成の一例としては、“復調回路２００が、外部のアンテナ（受信回路１００の構成の一部の一例）と接続される構成”が、挙げられる。外部のアンテナと接続される上記復調回路２００は、当該アンテナが受信した放送信号を処理する。
【００３２】
また、本実施形態に係る処理装置は、例えば、プロセッサ（図示せず）、ＲＯＭ（Read  Only  Memory。図示せず）、ＲＡＭ（Random  Access  Memory。図示せず）、記録媒体（図示せず）、表示デバイス（図示せず）、音声出力デバイス（図示せず）、操作デバイス（図示せず）、通信デバイス（図示せず）のうちの一部または全部を備えていてもよい。また、本実施形態に係る処理装置は、後述する本実施形態に係る処理装置の適用例に応じた構成をとることが可能である。
【００３３】
プロセッサ（図示せず）は、例えば、ＭＰＵ（Micro  Processing  Unit）などの演算回路で構成され、例えば本実施形態に係る処理装置全体を制御する機能を有する。なお、図１に示す処理装置１０００では、例えば、処理回路３００がプロセッサ（図示せず）の役目を果たしてもよい。
【００３４】
ＲＯＭ（図示せず）は、プロセッサ（図示せず）が使用するプログラムや演算パラメータなどの制御用データを記憶する。ＲＡＭ（図示せず）は、プロセッサ（図示せず）により実行されるプログラムなどを一時的に記憶する。
【００３５】
記録媒体（図示せず）は、本実施形態に係る処理装置が備える記憶手段であり、例えば、復調回路２００における処理方法に係るデータや、処理回路３００における処理方法に係るデータ、各種アプリケーションなどの、様々なデータを記憶する。ここで、記録媒体（図示せず））としては、例えば、フラッシュメモリなどの不揮発性メモリなどが挙げられる。なお、図１に示す処理装置１０００では、例えば、復調回路２００および処理回路３００の一方または双方が、記録媒体（図示せず）を備えていてもよい。また、本実施形態に係る処理装置は、記録媒体（図示せず）を備えず、本実施形態に係る処理方法に係るデータなどの各種データは、本実施形態に係る処理装置の外部の記録媒体に記憶されていてもよい。
【００３６】
表示デバイス（図示せず）は、例えば、警告情報の内容を示す画像やＵＩ（User  Interface）に係る画像などの、様々な画像を、表示画面に表示する。表示デバイス（図示せず）としては、例えば、液晶ディスプレイや有機ＥＬディスプレイなどが挙げられる。また、表示デバイスは、例えばタッチパネルなど、表示と操作とが可能なデバイスであってもよい。
【００３７】
音声出力デバイス（図示せず）は、例えば、警告情報の内容を示す音声（音楽も含む。）や放送信号が示す音声（音楽も含む。）などの、様々な音声を出力する。音声出力デバイス（図示せず）としては、例えばスピーカが挙げられる。
【００３８】
操作デバイス（図示せず）は、本実施形態に係る処理装置の使用者が操作可能なデバイスである。操作デバイス（図示せず）としては、例えば、ボタンや、方向キー、ジョグダイヤルなどの回転型セレクタ、あるいは、これらの組み合わせなどが挙げられる。
【００３９】
通信デバイス（図示せず）は、本実施形態に係る処理装置が備える通信手段であり、外部装置と無線または有線で通信を行う役目を果たす。通信デバイス（図示せず）としては、例えば、通信アンテナおよびＲＦ（Radio  Frequency）回路（無線通信）や、ＩＥＥＥ８０２．１５．１ポートおよび送受信回路（無線通信）、ＩＥＥＥ８０２．１１ポートおよび送受信回路（無線通信）、あるいはＬＡＮ（Local  Area  Network）端子および送受信回路（有線通信）などが挙げられる。
【００４０】
以下、図１に示す処理装置１０００を例に挙げて、本実施形態に係る処理装置の構成の一例、および本実施形態に係る処理装置を構成する各回路における処理（本実施形態に係る処理方法に係る処理）について、説明する。
【００４１】
また、以下では、放送信号がＡＴＳＣ３．０規格に対応する信号である場合を例に挙げる。なお、上述したように、本実施形態に係る処理装置が処理することが可能な放送信号が、ＡＴＳＣ３．０規格に対応する放送信号に限られないことは、言うまでもない。
【００４２】
［１−１］受信回路１００
受信回路１００は、放送信号を受信する機能を有する回路（または回路群）である。
【００４３】
一例を挙げると、受信回路１００は、例えば、アンテナ（図示せず）と、第１フィルタ（図示せず）と、増幅器（図示せず）と、ミキサ（図示せず）と、第２フィルタ（図示せず）とを備える。
【００４４】
アンテナ（図示せず）は、例えば、ダイポールアンテナ、モノポールアンテナ、チップアンテナ、あるいはパターンアンテナなどの、任意の構成のアンテナで構成され、放送信号が搬送される電波を受信する。第１フィルタ（図示せず）は、例えば、ローパスフィルタ、バンドパスフィルタなどの任意のフィルタで構成され、アンテナ（図示せず）で受信された信号から不要な周波数成分を除去する。増幅器（図示せず）は、ＬＮＡ（Low  Noise  Amplifier）などの任意の増幅器で構成され、第１フィルタ（図示せず）から伝達される信号を増幅する。ミキサ（図示せず）には、増幅器（図示せず）から伝達される信号と、発振器（図示せず）などにより生成された所定周波数の信号とが入力され、ミキサ（図示せず）は、増幅器（図示せず）から伝達される信号を、ＩＦ（Intermediate  Frequency）信号に変換する。第２フィルタ（図示せず）は、バンドパスフィルタ、ローパスフィルタなどの任意のフィルタで構成され、ＩＦ信号から不要な周波数成分を除去する。第２フィルタ（図示せず）から出力される信号が、受信回路１００により受信された放送信号（所定の方式で変調された変調信号）に該当する。
【００４５】
なお、受信回路１００の構成は、上記に示す例に限られない。受信回路１００は、例えば、電波で送信される放送信号を受信することが可能な、任意の構成を有することが可能である。
【００４６】
［１−２］復調回路２００
復調回路２００は、受信回路１００により受信された放送信号を復調する機能を有する回路（または回路群）である。
【００４７】
また、復調回路２００は、“復調された放送信号に含まれる第１の警告通知情報に基づいて警告情報の取得が必要であるかを判定し、警告情報の取得が必要であることを処理回路３００へ伝達する機能”（復調回路２００における処理方法に係る処理を行う機能）を有する。
【００４８】
なお、復調回路２００が有する機能は、上記に示す例に限られない。
【００４９】
上述したように、復調回路２００は、受信回路１００の構成の一部または全部を備えていてもよい。つまり、本実施形態に係る処理装置では、図１に示す復調回路２００が、図１に示す受信回路１００の一部または全部の機能をさらに有することも可能である。復調回路２００が受信回路１００の一部または全部の機能をさらに有する場合、復調回路２００が備える受信回路１００の構成の一部または全部は、復調回路２００において受信部の役目を果たす。
【００５０】
復調回路２００としては、例えば“１または２以上のプロセッサを含み、復調回路２００が有する機能を実現するための各種回路が集積されたＩＣ（Integrated  Circuit）チップ”が、挙げられる。なお、復調回路２００が、ＩＣチップの形態で実現されていなくてもよいことは、言うまでもない。
【００５１】
以下、復調回路２００が有する機能について説明する。以下では、復調回路２００が有する機能のうち、復調回路２００における処理方法に係る処理を行う機能を、主に説明する。
【００５２】
図２は、本実施形態に係る処理装置１０００が備える復調回路２００の構成の一例を示す機能ブロック図である。復調回路２００は、例えば、復調部２０２と、判定部２０４と、出力処理部２０６とを備える。なお、図２に示す復調回路２００の機能ブロックは、復調回路２００が有する機能を便宜上切り分けたものであり、復調回路２００の機能ブロック図は、図２に示す例に限られない。
【００５３】
［１−２−１］復調部２０２
復調部２０２は、受信回路１００により受信された放送信号を復調する。復調部２０２は、放送信号の変調方式に対応する復調方式によって、放送信号を復調する。
【００５４】
復調部２０２は、復調された放送信号から第１の警告通知情報を取得する。一例を挙げると、ＡＴＳＣ３．０規格では、ＢｏｏｔＳｔｒａｐと呼ばれる領域に、｛ea_wake_up_2，ea_wake_up_1｝という２ビットのデータが含まれる。復調部２０２は、上記２ビットのデータを取り出すことによって、第１の警告通知情報を取得する。
【００５５】
そして、復調部２０２は、取得された第１の警告通知情報を、例えば判定部２０４と出力処理部２０６へ伝達する。なお、復調回路２００に対して後述する第２の動作モードまたは後述する第３の動作モードが設定されている場合、復調部２０２は、取得された第１の警告通知情報を、出力処理部２０６へ伝達しなくてもよい。
【００５６】
復調部２０２は、例えば、画像データ、音声データ、ＥＰＧ（Electric  Program  Guide）データなどの、復調された放送信号に含まれる他のデータ（図２に示す“各種データ”が該当する。）を、処理回路３００が電気的に接続される端子（第２の警告通知情報が出力される所定の端子とは異なる端子）から、出力する。
【００５７】
また、復調された放送信号に警告情報が含まれる場合、復調部２０２は、警告情報を上記処理回路３００が電気的に接続される端子から出力してもよい。
【００５８】
［１−２−２］判定部２０４
判定部２０４は、第１の警告通知情報に基づいて、復調された放送信号に含まれる警告情報の取得が必要かを判定する。そして、判定部２０４は、判定結果を出力処理部２０６へ伝達する。
【００５９】
判定部２０４は、例えば動作モードを示すデータを参照することによって、設定されている動作モードを特定する。そして、判定部２０４は、復調回路２００に対して設定されている動作モードに従って、警告情報の取得が必要かを判定する。動作モードを示すデータは、復調回路２００が備える記録媒体（図示せず）、または、処理装置１０００が備える記録媒体（図示せず）に、記憶される。
【００６０】
復調回路２００への動作モードの設定は、例えば、処理装置１０００の製造時、出荷時などの特定のタイミングに行われる。また、復調回路２００に設定される動作モードは、例えば、処理装置１０００の使用者の操作デバイスに対する操作や、通信デバイスを介した通信などによって、変更可能であってもよい。
【００６１】
本実施形態に係る動作モードとしては、例えば下記に示す第１の動作モード、第２の動作モード、および第３の動作モードが、挙げられる。
・第１の動作モード：第１の警告通知情報を第２の警告通知情報として出力する動作モード
・第２の動作モード：第１の警告通知情報よりもデータ量が小さな第２の警告通知情報を、出力する一の動作モード
・第３の動作モード：第１の警告通知情報よりもデータ量が小さな第２の警告通知情報を、出力する他の動作モード
【００６２】
第１の動作モードが設定されている場合、復調回路２００から処理回路３００へと、第１の警告通知情報そのものが出力される。また、第２の動作モードまたは第３の動作モードが設定されている場合、復調回路２００から処理回路３００へと、第１の警告通知情報よりもデータ量が小さな第２の警告通知情報、すなわち、第１の警告通知情報と異なるデータが出力される。そのため、第２の動作モードまたは第３の動作モードが設定されうる復調回路２００では、例えば、少なくとも直近に取得された第１の警告通知情報が、復調回路２００が備える記録媒体（図示せず）、または、処理装置１０００が備える記録媒体（図示せず）に、記憶される。
【００６３】
後述するように、少なくとも直近に取得された第１の警告通知情報が記憶される、上記記録媒体（図示せず）の領域は、処理回路３００により参照されうる。処理回路３００は、上記記録媒体（図示せず）の領域に記憶されている第１の警告通知情報を参照することによって、第１の警告通知情報の内容を特定する。つまり、処理装置１０００において上記記録媒体（図示せず）の領域は、例えば処理回路３００が第１の警告通知情報に内容を特定するために、復調回路２００が第１の警告通知情報をモニタリングする「モニタ」に該当する。
【００６４】
（Ａ）第１の動作モードが設定されている場合における判定部２０４の処理
判定部２０４は、第１の警告通知情報の値が更新され、かつ、第１の警告通知情報の更新前の値と更新後の値との組み合わせが所定の組み合わせである場合に、警告情報の取得が必要であると判定する。上記所定の組み合わせを示すデータは、例えば、復調回路２００が備える記録媒体（図示せず）、または、処理装置１０００が備える記録媒体（図示せず）に、記憶される。
【００６５】
第１の警告通知情報が、ＡＴＳＣ３．０規格で規定される｛ea_wake_up_2，ea_wake_up_1｝という２ビットのデータである場合、２ビットのデータは、下記のような意味を持つ。下記では、２ビットのデータの値をＶｅｒｉｌｏｇ−ＨＤＬ文法で表している。
・｛２’ｂ００｝:警告なし
・｛２’ｂ０１｝、｛２’ｂ１０｝、｛２’ｂ１１｝:警告あり
【００６６】
また、第１の警告通知情報が、ＡＴＳＣ３．０規格で規定される｛ea_wake_up_2，ea_wake_up_1｝という２ビットのデータである場合、２ビットのデータの値は、警告情報の内容が更新されるごとに、“｛２’ｂ０１｝→｛２’ｂ１０｝→｛２’ｂ１１｝”の順に繰り返し更新される。そして、警告が無くなった場合、２ビットのデータの値は、｛２’ｂ００｝に更新される。
【００６７】
第１の警告通知情報が、例えばＡＴＳＣ３．０規格で規定される２ビットのデータである場合、判定部２０４は、“２ビットのデータの値が更新され、かつ、２ビットのデータの更新前の値と更新後の値との組み合わせが、下記の組み合わせであるとき”に、警告情報の取得が必要であると判定する。なお、第１の警告通知情報が２ビットのデータである場合における判定部２０４の判定が、下記に示す例に限られないことは、言うまでもない。
・（更新前の値）→（更新後の値）：｛２’ｂ００｝→｛２’ｂ０１｝
・（更新前の値）→（更新後の値）：｛２’ｂ０１｝→｛２’ｂ１０｝
・（更新前の値）→（更新後の値）：｛２’ｂ１０｝→｛２’ｂ１１｝
・（更新前の値）→（更新後の値）：｛２’ｂ１１｝→｛２’ｂ０１｝
【００６８】
（Ｂ）第２の動作モードが設定されている場合における判定部２０４の処理
判定部２０４は、第１の警告通知情報が所定の値を示す場合に、警告情報の取得が必要であると判定する。上記所定の値を示すデータは、例えば、復調回路２００が備える記録媒体（図示せず）、または、処理装置１０００が備える記録媒体（図示せず）に、記憶される。
【００６９】
第１の警告通知情報が、例えばＡＴＳＣ３．０規格で規定される２ビットのデータである場合、判定部２０４は、“２ビットのデータの値が、｛２’ｂ０１｝、｛２’ｂ１０｝、｛２’ｂ１１｝のいずれかであるとき”に、警告情報の取得が必要であると判定する。判定部２０４は、例えば、２ビットのデータの全ビットに対してＯＲ演算した結果が“１”となるか否かにより警告情報の取得が必要であるか否かを判定する。上記に示す判定の例では、ＯＲ演算の結果と比較する対象である“１”を示すデータが、上記所定の値を示すデータに該当する。
【００７０】
なお、第１の警告通知情報が２ビットのデータである場合における判定部２０４の判定は、上記に示す例に限られない。
【００７１】
例えば、判定部２０４は、“２ビットのデータの値が更新され、かつ、２ビットのデータの更新前の値と更新後の値との組み合わせが所定の組み合わせである場合”に、警告情報の取得が必要であると判定してもよい。上記２ビットのデータの更新前の値と更新後の値との所定の組み合わせは、警告情報の取得が必要であると判定される系列に該当する。上記所定の組み合わせを示すデータは、例えば、復調回路２００が備える記録媒体（図示せず）、または、処理装置１０００が備える記録媒体（図示せず）に、記憶される。
【００７２】
（Ｃ）第３の動作モードが設定されている場合における判定部２０４の処理
判定部２０４は、第１の警告通知情報の値の所定の変化が検出された場合に、警告情報の取得が必要であると判定する。上記所定の変化を示すデータは、例えば、復調回路２００が備える記録媒体（図示せず）、または、処理装置１０００が備える記録媒体（図示せず）に、記憶される。
【００７３】
第１の警告通知情報が、例えばＡＴＳＣ３．０規格で規定される２ビットのデータである場合、判定部２０４は、例えば下記の第１の例〜下記の第４の例に示すように、警告情報の取得が必要であることを判定する。
【００７４】
（Ｃ−１）判定の第１の例
判定部２０４は、２ビットのデータの値が更新されるごとに警告情報の取得が必要であると判定する。
【００７５】
（Ｃ−２）判定の第２の例
判定部２０４は、上記第１の例と同様の判定に加えて、２ビットのデータの更新前の値と更新後の値との組み合わせが所定の組み合わせである場合には、警告情報の取得が必要であると判定しない。
【００７６】
一例を挙げると、判定部２０４は、“２ビットのデータの値が更新され、かつ、２ビットのデータの更新前の値と更新後の値との組み合わせが、下記の組み合わせであるとき”には、警告情報の取得が必要であると判定しない。なお、警告情報の取得が必要であると判定しない例が、下記に示す例に限られないことは、言うまでもない。
・（更新前の値）→（更新後の値）：｛２’ｂ０１｝→｛２’ｂ００｝
・（更新前の値）→（更新後の値）：｛２’ｂ１０｝→｛２’ｂ００｝
・（更新前の値）→（更新後の値）：｛２’ｂ１１｝→｛２’ｂ００｝
・（更新前の値）→（更新後の値）：｛２’ｂ００｝→｛２’ｂ０１｝
【００７７】
（Ｃ−３）判定の第３の例
判定部２０４は、“２ビットのデータの値が更新され、更新後の値が所定の値である場合”に、警告情報の取得が必要であると判定する。
【００７８】
判定部２０４は、“２ビットのデータの値が、｛２’ｂ０１｝、｛２’ｂ１０｝、｛２’ｂ１１｝のいずれかであるとき”に、警告情報の取得が必要であると判定する。判定部２０４は、例えば、２ビットのデータそのものが｛２’ｂ０１｝、｛２’ｂ１０｝、｛２’ｂ１１｝のいずれかに該当するか否かにより、警告情報の取得が必要であるか否かを判定する。上記に示す判定の例では、２ビットのデータと比較する対象である｛２’ｂ０１｝、｛２’ｂ１０｝、｛２’ｂ１１｝を示すデータが、上記所定の変化を示すデータに該当する。
【００７９】
（Ｃ−４）判定の第４の例
判定部２０４は、“２ビットのデータの更新前の値と更新後の値との組み合わせが所定の組み合わせである場合”に、警告情報の取得が必要であると判定する。上記２ビットのデータの更新前の値と更新後の値との所定の組み合わせは、警告情報の取得が必要であると判定される系列に該当する。上記所定の組み合わせを示すデータは、上記所定の変化を示すデータに該当する。
【００８０】
判定部２０４は、例えば上記（Ａ）〜上記（Ｃ）に示すように、復調回路２００に対して設定されている動作モードに従って警告情報の取得が必要かを判定し、判定結果を出力処理部２０６へ伝達する。なお、設定されている動作モードに従った判定の例が、上記に示す例に限られないことは、言うまでもない。
【００８１】
［１−２−３］出力処理部２０６
出力処理部２０６は、判定部２０４から伝達される判定結果に基づいて、処理回路３００が電気的に接続される所定の端子から、第２の警告通知情報を出力する。
【００８２】
本実施形態に係る第２の警告通知情報とは、復調回路２００から処理回路３００へと出力される警告情報の更新状態を示すデータである。
【００８３】
出力処理部２０６は、動作モードを示すデータを参照することによって、設定されている動作モードを特定する。そして、出力処理部２０６は、復調回路２００に対して設定されている動作モードに対応する第２の警告通知情報を出力する。
【００８４】
一例を挙げると、第１の動作モードが設定されている場合、出力処理部２０６は、第１の警告通知情報を第２の警告通知情報として出力する。具体例を挙げると、第１の警告通知情報が、ＡＴＳＣ３．０規格で規定される｛ea_wake_up_2，ea_wake_up_1｝という２ビットのデータである場合、出力処理部２０６は、当該２ビットのデータを、処理回路３００が電気的に接続される所定の端子から出力する。
【００８５】
他の例を挙げると、第２の動作モードまたは第３の動作モードが設定されている場合、出力処理部２０６は、第１の警告通知情報よりもデータ量が小さな第２の警告通知情報を、出力する。具体例を挙げると、第１の警告通知情報が、ＡＴＳＣ３．０規格で規定される｛ea_wake_up_2，ea_wake_up_1｝という２ビットのデータである場合、出力処理部２０６は、所定の値を示す１ビットのデータを第２の警告通知情報として出力する。出力処理部２０６から出力される１ビットのデータとしては、例えば、警告情報が更新されているか否かを示すフラグ（または、警告情報の取得が必要であるか否かを示すフラグ）が、挙げられる。
【００８６】
上記の例に示すように、出力処理部２０６は、設定されている動作モードに応じて、第１の警告通知情報を第２の警告通知情報として出力する、または、第１の警告通知情報よりもデータ量が小さな所定のデータを第２の警告通知情報として出力する。つまり、第２の警告通知情報は、設定されている動作モードに応じて変わりうる。
【００８７】
なお、第２の警告通知情報の例は、上記に示す例に限られず、復調回路２００から処理回路３００へと、警告情報が更新されていることを伝達することが可能な、任意の形式のデータであってもよい。
【００８８】
（ａ）第１の動作モードが設定されている場合における出力処理部２０６の処理
出力処理部２０６は、復調部２０２から伝達される第１の警告通知情報を、第２の警告通知情報として出力する。
【００８９】
一例を挙げると、第１の警告通知情報がＡＴＳＣ３．０規格で規定される２ビットのデータである場合、出力処理部２０６は、当該２ビットのデータを第２の警告通知情報として出力する。
【００９０】
（ｂ）第２の動作モードが設定されている場合における出力処理部２０６の処理
出力処理部２０６は、第１の警告通知情報よりもデータ量が小さな所定のデータを第２の警告通知情報として出力する。
【００９１】
一例を挙げると、第１の警告通知情報がＡＴＳＣ３．０規格で規定される２ビットのデータである場合、出力処理部２０６は、所定の値を示す１ビットのデータを第２の警告通知情報として出力する。１ビットのデータが示す所定の値としては、例えば“１”が挙げられる。なお、判定結果と共にＯＲ演算の結果が判定部２０４から伝達される場合、出力処理部２０６は、当該ＯＲ演算の結果が示す値を、所定の値としてもよい。
【００９２】
（ｃ）第３の動作モードが設定されている場合における出力処理部２０６の処理
出力処理部２０６は、第１の警告通知情報よりもデータ量が小さな所定のデータを第２の警告通知情報として出力する。
【００９３】
一例を挙げると、第１の警告通知情報がＡＴＳＣ３．０規格で規定される２ビットのデータである場合、出力処理部２０６は、所定の値を示す１ビットのデータを第２の警告通知情報として出力する。１ビットのデータが示す所定の値としては、例えば“１”が挙げられる。
【００９４】
上記（Ｃ−１）に示す第１の例〜上記（Ｃ−４）に示す第４の例に示すように、第３の動作モードが設定されている場合、判定部２０４は、様々な判定方法によって、警告情報の取得が必要であるかを判定することが可能である。
【００９５】
そこで、出力処理部２０６は、判定部２０４から伝達される判定結果が警告情報の取得が必要であることを示す場合、例えば“１”などの所定の値をサンプルホールド回路などで保持する。そして、出力処理部２０６は、保持されている所定の値を示す１ビットのデータを第２の警告通知情報として出力する。サンプルホールド回路などで保持されている所定の値は、後述する処理回路３００における警告情報の取得に応じて、“０”などの初期値に初期化される。復調回路２００（例えば出力処理部２０６）は、処理回路３００から出力される警告情報の取得が行われたことを示す信号に基づいて、サンプルホールド回路などで保持されている値を初期化する。上記警告情報の取得が行われたことを示す信号は、処理回路３００が復調回路２００を制御する制御信号の一例に該当する。
【００９６】
出力処理部２０６は、例えば上記（ａ）〜上記（ｃ）に示すように、復調回路２００に対して設定されている動作モードに対応する第２の警告通知情報を、処理回路３００が電気的に接続される所定の端子から出力する。
【００９７】
上記（ｂ）に示す例または上記（ｃ）に示す例のように、出力処理部２０６がＡＴＳＣ３．０規格で規定されているビット数よりも少ないビット数のデータ（デジタル信号）を、第２の警告通知情報として出力することによって、“復調回路２００および処理回路３００それぞれの端子数（ピン数）を、単に規格に沿って設計する場合よりもより削減することができる”という効果が、奏される。
【００９８】
図３は、本実施形態に係る処理装置１０００が備える復調回路２００における処理方法に係る処理の一例を示す流れ図である。図３のステップＳ１００、Ｓ１０２の処理は、判定部２０４における処理の一例に該当し、ステップＳ１０４の処理は、出力処理部２０６の処理の一例に該当する。
【００９９】
復調回路２００は、第１の警告通知情報が取得されたか否かを判定する（Ｓ１００）。ＡＴＳＣ３．０規格に則った放送信号を例に挙げると、上述したように、復調回路２００は、復調された放送信号のＢｏｏｔＳｔｒａｐと呼ばれる領域から｛ea_wake_up_2，ea_wake_up_1｝という２ビットのデータが取得された場合に、第１の警告通知情報が取得されたと判定する。
【０１００】
ステップＳ１００において第１の警告通知情報が取得されたと判定されない場合、復調回路２００は、第１の警告通知情報が取得されたと判定されるまで処理を進めない。
【０１０１】
また、ステップＳ１００において第１の警告通知情報が取得されたと判定された場合、復調回路２００は、第１の警告通知情報に基づいて、警告情報の取得が必要であるか否かを判定する（Ｓ１０２）。復調回路２００は、例えば上記（Ａ）〜上記（Ｃ）に示すように、復調回路２００に対して設定されている動作モードに従って警告情報の取得が必要かを判定する。
【０１０２】
ステップＳ１０２において警告情報の取得が必要であると判定されない場合、復調回路２００は、ステップＳ１００からの処理を繰り返す。
【０１０３】
また、ステップＳ１０２において警告情報の取得が必要であると判定された場合、復調回路２００は、処理回路３００が電気的に接続される所定の端子から、第２の警告通知情報を出力する（Ｓ１０４）。出力処理部２０６は、例えば上記（ａ）〜上記（ｃ）に示すように、復調回路２００に対して設定されている動作モードに対応する第２の警告通知情報を、処理回路３００が電気的に接続される所定の端子から出力する。
【０１０４】
そして、復調回路２００は、ステップＳ１００からの処理を繰り返す。
【０１０５】
復調回路２００は、処理方法に係る処理として、例えば図３に示す処理を行うことによって、動作モードに対応する第２の警告通知情報を、処理回路３００が電気的に接続される所定の端子から出力する。なお、復調回路２００における処理の例が、図３に示す例に限られないことは、言うまでもない。
【０１０６】
［１−３］処理回路３００
処理回路３００は、復調された放送信号を処理する機能を有する回路（または回路群）である。復調された放送信号に対する処理の一例としては、例えば、表示デバイスの表示画面に画像を表示させる表示制御処理や、音声出力デバイスから音声を出力させる音声出力処理など、復調された放送信号に対して行うことが可能な任意の処理が、挙げられる。
【０１０７】
また、処理回路３００は、第２の警告通知情報が、復調回路２００が電気的に接続される所定の端子を介して取得された場合に、復調された放送信号に含まれる警告情報を取得する。ＡＴＳＣ３．０規格に則った放送信号を例に挙げると、処理回路３００は、復調された放送信号から、ＬＬＳ（Low  Level  Signaling）に含まれるＡＥＡＴを取り出すことによって、警告情報を取得する。
【０１０８】
警告情報が取得された場合、処理回路３００は、取得された警告情報が示す内容を通知させる処理を、行ってもよい。警告情報が示す内容を通知させる処理としては、例えば、“警告情報の内容を示す画像を、表示デバイス（図示せず）の表示画面に表示させる表示制御処理”や、“警告情報の内容を示す音声を、音声出力デバイス（図示せず）から音声を出力させる音声出力処理”など、警告情報が示す内容を通知させることが可能な任意の処理が、挙げられる。
【０１０９】
なお、警告情報が取得された場合における処理回路３００の処理は、上記に示す例に限られない。
【０１１０】
例えば、処理装置１０００には、処理装置１０００が有する各種機能が動作可能な状態である通常動作状態、および、処理装置１０００が有する一部の機能のみが動作可能な状態である待機状態など、複数の動作状態が存在する場合がある。上記のように複数の動作状態が処理装置１０００に存在する場合、処理回路３００は、警告情報の取得に応じて動作状態を変更した上で、警告情報が示す内容を通知させる処理を行ってもよい。
【０１１１】
一例を挙げると、処理回路３００において警告情報が取得されたときにおける処理装置１０００の動作状態が待機状態の場合、処理回路３００は、動作状態を待機状態から通常動作状態へと遷移させると共に、警告情報が示す内容を通知させる。上記のように、処理回路３００における警告情報の取得に応じて動作状態を待機状態から通常動作状態へと遷移させることによって、警告が新たに発せられたとき（警告情報が更新されたとき）に処理装置１０００が待機状態であったとしても、より早期に処理装置１０００を起動させて、警告情報が示す内容を通知させることができる。
【０１１２】
上述したように、復調回路２００は、復調回路２００に対して設定されている動作モードに対応する第２の警告通知情報を出力する。そのため、処理回路３００は、後述するように、復調回路２００に対して設定されている動作モードに対応する処理を行ってもよい。処理回路３００は、動作モードを示すデータを参照することによって、復調回路２００に対して設定されている動作モードを特定する。動作モードを示すデータは、例えば、復調回路２００が備える記録媒体（図示せず）または、処理装置１０００が備える記録媒体（図示せず）に記憶され、処理回路３００は、これらの記録媒体（図示せず）に記憶される動作モードを示すデータを参照する。なお、動作モードを示すデータは、処理回路３００が備える記録媒体（図示せず）に記憶され、処理回路３００は、当該記録媒体（図示せず）に記憶される動作モードを示すデータを参照してもよい。
【０１１３】
処理回路３００としては、例えば“１または２以上のプロセッサを含み、処理回路３００が有する機能を実現するための各種回路が集積されたＩＣチップ”が、挙げられる。なお、処理回路３００が、ＩＣチップの形態で実現されていなくてもよいことは、言うまでもない。
【０１１４】
以下、処理回路３００が有する機能について説明する。
【０１１５】
図４は、本実施形態に係る処理装置１０００が備える処理回路３００の構成の一例を示す機能ブロック図である。処理回路３００は、例えば、処理部３０２を備える。なお、図４に示す処理回路３００の機能ブロックは、処理回路３００が有する機能を便宜上切り分けたものであり、処理回路３００の機能ブロック図は、図４に示す例に限られない。
【０１１６】
処理部３０２は、復調された放送信号を処理する。例えば、処理部３０２は、画像データ、音声データ、ＥＰＧデータなどの、復調された放送信号に含まれる各種データ（本線データ）に基づいて、表示デバイス（図示せず）の表示画面に画像を表示させる表示制御処理や、音声出力デバイス（図示せず）から音声を出力させる音声出力処理など、復調された放送信号に対して行うことが可能な任意の処理を、行う。
【０１１７】
また、処理部３０２は、第２の警告通知情報が復調回路２００から取得された場合に、復調された放送信号に含まれる警告情報を取得する。
【０１１８】
放送信号がＡＴＳＣ３．０規格に則った放送信号である場合、処理回路３００は、例えば、復調された放送信号から、ＬＬＳに含まれるＡＥＡＴを取り出すことによって警告情報を取得する。より具体的には、放送信号がＡＴＳＣ３．０規格に則った放送信号である場合、処理回路３００は、“L1D_plp_lls_flag=H”のＰＬＰ（Physical  Layer  Pipe）を選択し、復調回路２００からの復調された放送信号に含まれる各種データ（本線データ）の出力を確認して、ＬＬＳに含まれるＡＥＡＴを取り出す。
【０１１９】
上述したように、処理回路３００は、復調回路２００に対して設定されている動作モードに対応する処理によって、警告情報を取得することが可能である。以下、設定されている動作モードに対応する処理の一例について説明する。
【０１２０】
例えば第１の動作モードが設定されている場合、処理回路３００から出力される第２の警告通知情報は、放送信号に含まれる第１の警告通知情報そのものである。よって、処理部３０２は、処理回路３００から出力される第２の警告通知情報の内容を、ＡＴＳＣ３．０規格に則った解釈方法などの、設定されている解釈方法で解釈して、警告情報を取得する。
【０１２１】
例えば、第２の動作モードが設定されている場合、処理部３０２は、処理回路３００から出力される第２の警告通知情報が検出されるごとに、警告情報を取得する。
【０１２２】
第１の警告通知情報がＡＴＳＣ３．０規格で規定される２ビットのデータであるときに、第２の動作モードが設定されている場合、上述したように、第２の警告通知情報は、“２ビットのデータの全ビットに対するＯＲ演算の結果に対応する、所定の値を示す１ビットのデータ”である。つまり、第２の動作モードが設定されている場合、処理回路３００から出力される第２の警告通知情報は、第１の警告通知情報そのものではない。そのため、処理部３０２では、第２の警告通知情報の内容を、第１の動作モードが設定されている場合と同様に解釈することはできない。
【０１２３】
そのため、処理部３０２は、上述した“復調回路２００が第１の警告通知情報をモニタリングする「モニタ」に該当する領域”（少なくとも直近に取得された第１の警告通知情報が記憶される記録媒体（図示せず）の領域）を参照して、第１の警告通知情報の内容を解釈してもよい。なお、処理部３０２が第１の警告通知情報の内容を解釈しない場合であっても、処理部３０２は、第２の警告通知情報の検出に応じて警告情報を取得することが可能である。
【０１２４】
例えば、第３の動作モードが設定されている場合、処理部３０２は、処理回路３００から出力される第２の警告通知情報が検出されるごとに、警告情報を取得する。
【０１２５】
第１の警告通知情報がＡＴＳＣ３．０規格で規定される２ビットのデータであるときに、第３の動作モードが設定されている場合、上述したように、第２の警告通知情報は、“サンプルホールド回路などで保持されている所定の値を示す１ビットのデータ”である。つまり、第３の動作モードが設定されている場合、処理回路３００から出力される第２の警告通知情報は、第１の警告通知情報そのものではない。
【０１２６】
そのため、処理部３０２は、第１の警告通知情報がＡＴＳＣ３．０規格で規定される２ビットのデータであるときに第２の動作モードが設定されている場合と同様に、上述した“復調回路２００が第１の警告通知情報をモニタリングする「モニタ」に該当する領域”を参照して、第１の警告通知情報の内容を解釈してもよい。なお、処理部３０２が第１の警告通知情報の内容を解釈しない場合であっても、処理部３０２は、第２の警告通知情報の検出に応じて警告情報を取得することが可能である。
【０１２７】
また、第１の警告通知情報がＡＴＳＣ３．０規格で規定される２ビットのデータであるときに、第３の動作モードが設定されている場合、処理部３０２は、第２の警告通知情報に基づき警告情報を取得すると、警告情報の取得が行われたことを示す信号を、復調回路２００が電気的に接続される端子から復調回路２００へと出力する。上記警告情報の取得が行われたことを示す信号が出力される端子は、第２の警告通知情報が検出される所定の端子であってもよいし、異なる端子であってもよい。処理部３０２が警告情報の取得が行われたことを示す信号を出力することによって、上述したように、復調回路２００では、サンプルホールド回路などで保持されている値が初期値に初期化される。
【０１２８】
なお、処理部３０２における処理は、上記に示す例に限られない。
【０１２９】
例えば、処理部３０２は、上述したように、取得された警告情報が示す内容を通知させる処理を、さらに行ってもよい。
【０１３０】
また、上述したように、処理部３０２は、例えば、警告情報の取得に応じて処理装置１０００の動作状態を変更した上で、警告情報が示す内容を通知させる処理を行ってもよい。
【０１３１】
処理装置１０００は、例えば図１〜図４を参照して説明した機能、構成を有する、受信回路１００、復調回路２００、および処理回路３００を備える。なお、上述したように、本実施形態に係る処理装置の構成が、上述した構成に限られないことは、言うまでもない。
【０１３２】
［２］本実施形態に係る処理装置において奏される効果の一例
本実施形態に係る処理装置が用いられることによって、例えば下記に示す効果が奏される。なお、本実施形態に係る処理装置が用いられることにより奏される効果が、下記に示す例に限られないことは、言うまでもない。
・本実施形態に係る復調回路は、ＡＴＳＣ３．０規格におけるＥＡＳに対応するデータ（本実施形態に係る第２の警告通知情報が該当する。）を、当該復調回路が有するＧＰＩＯから本実施形態に係る処理回路へと出力する。ここで、本実施形態に係る復調回路は、放送信号のＢｏｏｔＳｔｒａｐが復号されることにより取得される、｛ea_wake_up_2，ea_wake_up_1｝という２ビットのデータに基づいて、上記ＥＡＳに対応するデータをＧＰＩＯから本実施形態に係る処理回路へと出力する。よって、本実施形態に係る復調回路は、放送信号のＢｏｏｔＳｔｒａｐが復号されれば、上記ＥＡＳに対応するデータを本実施形態に係る処理回路へと出力することができるので、警告情報の取得が必要であることを当該処理回路へ早期に伝達することができる。
・警告情報の取得が必要であることが本実施形態に係る処理回路へと早期に伝達されることによって、本実施形態に係る処理装置が待機状態である場合であっても、本実施形態に係る処理装置の早期の起動（本実施形態に係る処理装置の早期立ち上げ）を実現することが、できる。
・第２の動作モードまたは第３の動作モードが設定されている場合、本実施形態に係る復調回路は、ＡＴＳＣ３．０規格で規定されている｛ea_wake_up_2，ea_wake_up_1｝という２ビットのデータを、１ビットのデータ（デジタル信号）に作り直して出力する。よって、本実施形態に係る処理装置では、本実施形態に係る復調回路および本実施形態に係る処理回路それぞれの端子数（ピン数）を、より削減することができる。
【０１３３】
［３］本実施形態に係る処理装置の適用例
以上、本実施形態として処理装置を挙げて説明したが、本実施形態は、かかる形態に限られない。本実施形態として処理装置は、例えば、“テレビ受像機”、“セットトップ
ボックス”、“スマートフォン”、“ＰＣ（Personal  Computer）などのコンピュータ”、“タブレット型の装置”、“ゲーム機”、“自動車などの任意の移動体”など、取得された放送信号を処理することが可能な、任意の機器に適用することができる。また、本実施形態に係る処理装置は、例えば、上記のような機器に組み込むことが可能なＩＣまたはＬＳＩ（Large  Scale  Integration）に適用することもできる。
【０１３４】
（本実施形態に係るプログラム）
［Ｉ］本実施形態に係る復調回路として機能させるためのプログラム
コンピュータを、本実施形態に係る復調回路として機能させるためのプログラム（例えば、図２に示す復調部２０２、判定部２０４、および出力処理部２０６の機能を実現することが可能なプログラム）が、コンピュータにおいてプロセッサなどにより実行されることによって、より迅速な警告情報の取得を実現することが可能な処理装置が、実現される。
【０１３５】
また、コンピュータを、本実施形態に係る復調回路として機能させるためのプログラムが、コンピュータにおいてプロセッサなどにより実行されることによって、上述した本実施形態に係る処理装置によって奏される効果を、奏することができる。
【０１３６】
［ＩＩ］本実施形態に係る処理回路として機能させるためのプログラム
コンピュータを、本実施形態に係る処理回路として機能させるためのプログラム（例えば、図４に示す処理部３０２の機能を実現することが可能なプログラム）が、コンピュータにおいてプロセッサなどにより実行されることによって、復調された放送信号に基づく様々な処理、および放送信号に含まれる警告情報を利用した様々な処理が、実現される。
【０１３７】
以上、添付図面を参照しながら本開示の好適な実施形態について詳細に説明したが、本開示の技術的範囲はかかる例に限定されない。本開示の技術分野における通常の知識を有する者であれば、特許請求の範囲に記載された技術的思想の範疇内において、各種の変更例または修正例に想到し得ることは明らかであり、これらについても、当然に本開示の技術的範囲に属するものと了解される。
【０１３８】
例えば、上記では、コンピュータを、本実施形態に係る復調回路として機能させるためのプログラム（コンピュータプログラム）、および本実施形態に係る処理回路として機能させるためのプログラム（コンピュータプログラム）がそれぞれ提供されることを示したが、本実施形態は、上記プログラムをそれぞれ記憶させた記録媒体、あるいは、上記プログラムを共に記憶させた記録媒体を、併せて提供することができる。
【０１３９】
上述した構成は、本実施形態の一例を示すものであり、当然に、本開示の技術的範囲に属するものである。
【０１４０】
また、本明細書に記載された効果は、あくまで説明的または例示的なものであって限定的ではない。つまり、本開示に係る技術は、上記の効果とともに、または上記の効果に代えて、本明細書の記載から当業者には明らかな他の効果を奏しうる。
【０１４１】
なお、以下のような構成も本開示の技術的範囲に属する。
（１）
放送信号を受信する受信回路により受信された前記放送信号を復調する復調部と、
復調された前記放送信号に含まれる、警告情報の更新状態を示す第１の警告通知情報に基づいて、復調された前記放送信号に含まれる警告情報の取得が必要かを設定されている動作モードに従って判定する判定部と、
警告情報の取得が必要であると判定された場合に、前記動作モードに対応する第２の警告通知情報を、前記警告情報を取得する機能を有する処理回路が電気的に接続される所定の端子から出力する出力処理部と、
を備える、復調回路。
（２）
前記出力処理部は、前記動作モードに応じて、前記第１の警告通知情報を前記第２の警告通知情報として出力する、または、前記第１の警告通知情報よりもデータ量が小さな所定のデータを前記第２の警告通知情報として出力する、（１）に記載の復調回路。
（３）
前記動作モードとして、前記第１の警告通知情報を前記第２の警告通知情報として出力する第１の動作モードが、設定されている場合、
前記判定部は、前記第１の警告通知情報の値が更新され、かつ、前記第１の警告通知情報の更新前の値と更新後の値との組み合わせが所定の組み合わせである場合に、前記警告情報の取得が必要であると判定し、
前記出力処理部は、前記第１の警告通知情報を前記第２の警告通知情報として出力する、（１）または（２）に記載の復調回路。
（４）
前記第１の警告通知情報は、２ビットのデータであり、
前記判定部は、前記２ビットのデータの値が更新され、かつ、前記２ビットのデータの更新前の値と更新後の値との組み合わせが所定の組み合わせである場合に、前記警告情報の取得が必要であると判定し、
前記出力処理部は、前記２ビットのデータを前記第２の警告通知情報として出力する、（３）に記載の復調回路。
（５）
前記動作モードとして、前記第１の警告通知情報よりもデータ量が小さな前記第２の警告通知情報を出力する一の動作モードである第２の動作モードが、設定されている場合、
前記判定部は、前記第１の警告通知情報が所定の値を示す場合に、警告情報の取得が必要であると判定し、
前記出力処理部は、前記第１の警告通知情報よりもデータ量が小さな所定のデータを前記第２の警告通知情報として出力する、（１）〜（４）のいずれか１つに記載の復調回路。
（６）
前記第１の警告通知情報は、２ビットのデータであり、
前記判定部は、前記２ビットのデータの全ビットに対してＯＲ演算を行い、ＯＲ演算の結果が前記所定の値を示す場合に、前記警告情報の取得が必要であると判定し、
前記出力処理部は、所定の値を示す１ビットのデータを前記第２の警告通知情報として出力する、（５）に記載の復調回路。
（７）
前記動作モードとして、前記第１の警告通知情報よりもデータ量が小さな前記第２の警告通知情報を出力する他の動作モードである第３の動作モードが、設定されている場合、
前記判定部は、前記第１の警告通知情報の値の所定の変化が検出された場合に、警告情報の取得が必要であると判定し、
前記出力処理部は、前記第１の警告通知情報よりもデータ量が小さな所定のデータを前記第２の警告通知情報として出力する、（１）〜（６）のいずれか１つに記載の復調回路。
（８）
前記第１の警告通知情報は、２ビットのデータであり、
前記判定部は、前記２ビットのデータの値が更新されるごとに前記警告情報の取得が必要であると判定し、
前記出力処理部は、所定の値を示す１ビットのデータを前記第２の警告通知情報として出力する、（７）に記載の復調回路。
（９）
前記判定部は、前記２ビットのデータの更新前の値と更新後の値との組み合わせが所定の組み合わせである場合には、前記警告情報の取得が必要であると判定しない、（８）に記載の復調回路。
（１０）
前記第１の警告通知情報は、２ビットのデータであり、
前記判定部は、前記２ビットのデータの値が更新され、更新後の値が所定の値である場合に、前記警告情報の取得が必要であると判定し、
前記出力処理部は、所定の値を示す１ビットのデータを前記第２の警告通知情報として出力する、（７）に記載の復調回路。
（１１）
前記第１の警告通知情報は、２ビットのデータであり、
前記判定部は、前記２ビットのデータの更新前の値と更新後の値との組み合わせが所定の組み合わせである場合に、前記警告情報の取得が必要であると判定し、
前記出力処理部は、所定の値を示す１ビットのデータを前記第２の警告通知情報として出力する、（７）に記載の復調回路。
（１２）
前記受信回路の一部または全部を有する受信部をさらに備える、（１）〜（１１）のいずれか１つに記載の復調回路。
（１３）
前記第１の警告通知情報は、ＡＴＳＣ３．０規格に対応するデータである、請求項１〜（１２）のいずれか１つに記載の復調回路。
（１４）
放送信号を復調する復調回路から出力される警告通知情報が、前記復調回路が電気的に接続される所定の端子を介して取得された場合に、復調された前記放送信号に含まれる警告情報を取得する処理部を備える、処理回路。
（１５）
前記処理部は、取得された前記警告情報が示す内容を通知させる、（１４）に記載の処理回路。
（１６）
放送信号を受信する受信回路により受信された前記放送信号を復調するステップと、
復調された前記放送信号に含まれる、警告情報の更新状態を示す第１の警告通知情報に基づいて、復調された前記放送信号に含まれる警告情報の取得が必要かを設定されている動作モードに従って判定するステップと、
警告情報の取得が必要であると判定された場合に、前記動作モードに対応する第２の警告通知情報を、前記警告情報を取得する機能を有する処理回路が電気的に接続される所定の端子から出力するステップと、
を有する、復調回路により実行される処理方法。
（１７）
放送信号を復調する復調回路から出力される警告通知情報が、前記復調回路が電気的に接続される所定の端子を介して取得された場合に、復調された前記放送信号に含まれる警告情報を取得するステップを有する、処理回路により実行される処理方法。
（１８）
復調回路と、
前記復調回路と電気的に接続される処理回路と、
を有し、
前記復調回路は、
放送信号を受信する受信回路により受信された前記放送信号を復調する復調部と、
復調された前記放送信号に含まれる、警告情報の更新状態を示す第１の警告通知情報に基づいて、復調された前記放送信号に含まれる警告情報の取得が必要かを設定されている動作モードに従って判定する判定部と、
警告情報の取得が必要であると判定された場合に、前記動作モードに対応する第２の警告通知情報を、前記処理回路が電気的に接続される所定の端子から出力する出力処理部と、
を備え、
前記処理回路は、
前記第２の警告通知情報が、前記復調回路が電気的に接続される所定の端子を介して取得された場合に、復調された前記放送信号に含まれる警告情報を取得する処理部を備える、処理装置。
【符号の説明】
【０１４２】
１００    受信回路
２００    復調回路
２０２    復調部
２０４    判定部
２０６    出力処理部
３００    処理回路
３０２    処理部
１０００    処理装置
【図１】
2019135806.tif 000003
【図２】
2019135806.tif 000004
【図３】
2019135806.tif 000005
【図４】
2019135806.tif 000006